(57)【要約】【課題】色や柄の異なる複数種の商品に共通に使用でき、且つ、購買者に実質的な商品イメージを伝達することができる商品パッケージを提供する。【解決手段】表面に商品６の使用状態を示すイメージ写真３が印刷された商品パッケージ１０において、前記イメージ写真３の商品部分の少なくとも一部を印刷せずに透明な状態とした。【選択図】図１
0003128520.tif 000002
【実用新案登録請求の範囲】
【請求項１】
表面に商品の使用状態を示すイメージ写真が印刷された商品パッケージであって、
前記イメージ写真の商品部分の少なくとも一部を印刷せずに透明な状態としたことを特徴とする商品パッケージ。
【請求項２】
前記商品が便座シート、トイレマット、蓋カバー等のトイレ用品であることを特徴とする請求項１に記載の商品パッケージ。
【考案の詳細な説明】
【技術分野】
【０００１】
本考案は、商品を包装するための商品パッケージに関し、特に、商品パッケージに印刷される商品のイメージ写真に関するものである。
【背景技術】
【０００２】
従来より、店内において、陳列棚や陳列ケース等に陳列・展示される小物商品の包装用のパッケージ（商品パッケージ）には、購買者が商品の使用イメージを把握し易いよう、パッケージの表面に商品のイメージ写真（商品の外観写真や商品の使用状態を示す写真等）が印刷されている場合がある。
【０００３】
同じ商品でも、色や柄の異なる複数種が品揃えされている場合、通常、各種類に対応するイメージ写真が印刷された複数種の商品パッケージが用意されているが、この形態は、商品パッケージの種類が多くなって管理が煩雑となると共に、各商品パッケージのロット数が少なくなるため、コスト高になるという問題があった。
他方、複数種の商品パッケージの内の一種類を複数の商品で共有する場合もあるが、この形態は、パッケージに印刷された商品の写真と、包装された実際の商品とで色や柄が異なるため、購買者が実質的な商品イメージを把握し難く、なかなか購買意欲も湧いて来ないという問題がある。
【考案の開示】
【考案が解決しようとする課題】
【０００４】
本考案は、上記した問題点に鑑みなされたもので、色や柄の異なる複数種の商品にも共通に使用でき、且つ、購買者に実質的な商品イメージを伝達することができる商品パッケージを提供することを目的としている。
【課題を解決するための手段】
【０００５】
すなわち、請求項１に記載の考案は、表面に商品の使用状態を示すイメージ写真が印刷された商品パッケージであって、前記イメージ写真の商品部分の少なくとも一部を印刷せずに透明な状態としたことを特徴としている。
【０００６】
また、請求項２に記載の考案は、請求項１に記載の商品パッケージにおいて、前記商品が便座シート、トイレマット、蓋カバー等のトイレ用品であることを特徴としている。
【考案の効果】
【０００７】
本考案によれば、商品パッケージに印刷される商品のイメージ写真の商品部分を透明な状態にしたので、包装された商品の色や柄をそのままイメージ写真の商品の色や柄として透視できるため、写真ではなかなか表現し難い商品の色や柄、素材の風合い、商品の使用状態等を購買者に対してリアルに伝達し得る極めて臨場感溢れたものとなる。これにより、購買者の購買意欲をかき立てることができる。
【０００８】
また、一種類の商品パッケージを複数の商品に共通に使用することが可能であるため、生産過程に於いて、商品パッケージの管理がし易くなると共に、ロット数が増大するためコストダウンが図れる。
【考案を実施するための最良の形態】
【０００９】
以下、図１、図２に基づいて本考案の商品パッケージの一実施形態を説明する。図１は、本実施形態による商品パッケージを示し、図２は、商品を包装した状態の要部拡大を示している。
【００１０】
図１に示すように、本実施形態による商品パッケージ１０は、透視可能な透明シート１ａを袋状に構成したパッケージ本体１と、このパッケージ本体１の上部のヘッダ部２とで構成される。ヘッダ部２には吊り下げ用の孔２ａが設けられている。
【００１１】
パッケージ本体１の中央部分には、包装される商品６の使用状態を示すイメージ写真３が印刷されている。商品６はトイレ用品の便座シートである。
このイメージ写真３には、便器４の便座５に上記便座シート６がセットされる状態が示されており、且つ、図１中、破線で示す便座シート６部分が印刷されずに透明（透明シート１ａの素地）な状態となっており、この透明部分７より、パッケージ本体１内の商品６（便座シート）を透視できるようになっている。
尚、イメージ写真３において、一方の便座シート６の端部が未セットの状態で便座シート６の裏地６ａが見えているが、この裏地６ａ部分は写真印刷による表示である。
【００１２】
上記構成の商品パッケージ１０では、図２示すように、便座シート６が折り畳まれて上記商品パッケージ１０にて包装されると、上記イメージ写真３において、便座シート６の透明部分７に実際の便座シート６の色や柄がそのまま透視されるため、恰も、イメージ写真の便座５に実物の便座シート６がセットされているように見え、極めて臨場感溢れるものとなる。
【００１３】
特に、便座シート６のような商品は、購買者（消費者）が替え用に複数所有するのが一般的であるから、色や柄の異なる多くのバリエーションが品揃えされており、且つ、インテリア性も大いに重視される商品であることから、商品パッケージ１０のイメージ写真３は、購買者に当商品を強くアピールできるものであることが望まれている。
【００１４】
この点、本実施形態の商品パッケージ１０は、上述したように、イメージ写真ではなかなか表現し難い商品の色や柄、素材の風合い、使用状態等を購買者にリアルに伝達することができるため、購買者の購買意欲をかき立てるには極めて効果的である。
【００１５】
加えて、本実施形態の商品パッケージ１０は、各々色や柄の異なる複数の商品にも共通に使用可能であるため、商品パッケージ１０の生産過程に於いて、ロッドの種類を少なくでき管理が容易になると共に、共通化によりロット数も増大するため、コストダウンが図れる。
【００１６】
以上、本実施形態では、商品として便座シート６を示したが、これに限定されるものではなく、例えば、トイレマット、蓋カバー等のトイレ用品にも適用可能であることは勿論である。
また、本実施形態では、袋状の商品パッケージを示したが、箱型の商品パッケージとしても勿論構わない。要は、商品パッケージに印刷される商品のイメージ写真の商品部分が透明で、内部の商品が透視可能であれば良い。
【図面の簡単な説明】
【００１７】
【図１】本考案による商品パッケージを示す図。
【図２】図１の商品パッケージにより商品を包装した状態を示す要部拡大図。
【符号の説明】
【００１８】
３  イメージ写真
６  商品（便座シート）
１０  商品パッケージ
【図１】
0003128520.tif 000003
【図２】
0003128520.tif 000004
【手続補正書】
【提出日】平成18年11月6日(2006.11.6)
【手続補正１】
【補正対象書類名】実用新案登録請求の範囲
【補正対象項目名】全文
【補正方法】変更
【補正の内容】
【実用新案登録請求の範囲】
【請求項１】
透明シートでなる商品包装用のパッケージであって、表面に前記商品の使用状態を示すイメージ写真が印刷されており、且つ、当該イメージ写真の商品部分の少なくとも一部を非印刷の透明な状態とし、当該非印刷部分よりパッケージ内の商品の一部を透視できるようにしたことを特徴とする商品パッケージ。
【請求項２】
前記商品が便座シート、トイレマット、蓋カバー等のトイレ用品であることを特徴とする請求項１に記載の商品パッケージ。
【手続補正２】
【補正対象書類名】明細書
【補正対象項目名】０００５
【補正方法】変更
【補正の内容】
【０００５】
すなわち、請求項１に記載の考案は、透明シートでなる商品包装用のパッケージであって、表面に前記商品の使用状態を示すイメージ写真が印刷されており、且つ、当該イメージ写真の商品部分の少なくとも一部を非印刷の透明な状態とし、当該非印刷部分よりパッケージ内の商品の一部を透視できるようにしたことを特徴としている。